(57)【要約】【課題】  様々なフォーマットの中で最も送信する確率の高い帯域を確保し、通常は画像の送信をとぎらすことなく行う。【解決手段】  ＨＤ、ＳＤ混在のテープを再生する場合、最大帯域のＨＤ分の帯域を確保する送信機において、ＨＤ分が確保できなかった時に、まずはＳＤ分を確保し、後にＨＤ分との差分を確保し、ＳＤの送信だけは行えるようにする。【選択図】  図３
2007081958.tif 000002
【特許請求の範囲】
【請求項１】
記録媒体に記録された情報には送信する時に必要な帯域が前期情報ごとに決まっていて、前期情報を送信する際に最大帯域を確保する送信装置において、最大帯域を確保できない場合、段階的に次に大きい帯域を確保することを特徴とする送信装置。
【請求項２】
特許請求の範囲、請求項１において、前記記録媒体に記録された前期情報は映像信号のフォーマットであり、前期フォーマットにより映像信号の送信のデータレートの相違が前期必要な帯域の相違になっていることを特徴とする送信装置。
【請求項３】
特許請求の範囲、請求項２において、前記フォーマットはデジタルビデオカセットレコーダにおける、SDフォーマットとSDLフォーマット、HDフォーマット、SDMPEGフォーマット、HDPEGフォーマットを表すことを特徴とする送信装置。
【請求項４】
特許請求の範囲、請求項１において、前記記録媒体はカセットテープメディアであることを特徴とする送信装置。
【請求項５】
特許請求の範囲、請求項１において、前記記録媒体はディスクメディアであることを特徴とする送信装置。
【請求項６】
特許請求の範囲、請求項１において、前記記録媒体はメモリメディアであることを特徴とする送信装置。
【請求項７】
特許請求の範囲、請求項１において、前記送信装置の送信方式はIEEE１３９４方式を表すことを特徴とする送信装置。
【請求項８】
特許請求の範囲、請求項１において、前記送信装置の送信方式はUSB方式を表すことを特徴とする送信装置。
【請求項９】
特許請求の範囲、請求項１において、前記送信装置の送信方式は無線通信方式を表すことを特徴とする送信装置。
【請求項１０】
カセットテープに記録された映像信号には送信する時に必要な帯域が前期映像信号のフォーマットごとに決まっていて、前期映像信号を送信する際に最大帯域を確保する送信装置において、最大帯域を確保できない場合、段階的に次に大きい帯域を確保することを特徴とする送信装置。
【請求項１１】
特許請求の範囲、請求項１０において、前記フォーマットはデジタルビデオカセットレコーダにおける、SDフォーマットとSDLフォーマット、HDフォーマット、SDMPEGフォーマット、HDPEGフォーマットを表すことを特徴とする送信装置。
【請求項１２】
特許請求の範囲、請求項１０において、前記送信装置の送信方式はIEEE１３９４方式を表すことを特徴とする送信装置。
【請求項１３】
特許請求の範囲、請求項１０において、前記送信装置の送信方式はUSB方式を表すことを特徴とする送信装置。
【請求項１４】
特許請求の範囲、請求項１０において、前記送信装置の送信方式は無線通信方式を表すことを特徴とする送信装置。
【請求項１５】
記録媒体に記録された情報には送信する時に必要な帯域が前期情報ごとに決まっていて、前期情報を送信する際に最大帯域を確保する送信装置において、最大帯域を確保できない場合、まず段階的に次に大きい帯域を確保し、次に前期最大帯域の差分の帯域を確保することを特徴とする送信装置。
【請求項１６】
特許請求の範囲、請求項１５において、前記記録媒体に記録された前期情報は映像信号のフォーマットであり、前期フォーマットにより映像信号の送信のデータレートの相違が前期必要な帯域の相違になっていることを特徴とする送信装置。
【請求項１７】
特許請求の範囲、請求項１６において、前記フォーマットはデジタルビデオカセットレコーダにおける、SDフォーマットとSDLフォーマット、HDフォーマット、SDMPEGフォーマット、HDPEGフォーマットを表すことを特徴とする送信装置。
【請求項１８】
特許請求の範囲、請求項１５において、前記記録媒体はカセットテープメディアであることを特徴とする送信装置。
【請求項１９】
特許請求の範囲、請求項１５において、前記記録媒体はディスクメディアであることを特徴とする送信装置。
【請求項２０】
特許請求の範囲、請求項１５において、前記記録媒体はメモリメディアであることを特徴とする送信装置。
【請求項２１】
特許請求の範囲、請求項１５において、前記送信装置の送信方式はIEEE１３９４方式を表すことを特徴とする送信装置。
【請求項２２】
特許請求の範囲、請求項１５において、前記送信装置の送信方式はUSB方式を表すことを特徴とする送信装置。
【請求項２３】
特許請求の範囲、請求項１５において、前記送信装置の送信方式は無線通信方式を表すことを特徴とする送信装置。
【請求項２４】
記録媒体に記録された情報には送信する時に必要な帯域が前期情報ごとに決まっていて、前期情報を送信する際に最大帯域を確保する送信装置において、最大帯域を確保できない場合、まず確保可能な帯域を確保し、確保できた場合、確保可能な次に大きい帯域の差分を確保し、さらに次に大きい帯域の差分を確保し、最大帯域を確保するまで繰り返すことを特徴とする送信装置。
【請求項２５】
特許請求の範囲、請求項２４において、前記記録媒体に記録された前期情報は映像信号のフォーマットであり、前期フォーマットにより映像信号の送信のデータレートの相違が前期必要な帯域の相違になっていることを特徴とする送信装置。
【請求項２６】
特許請求の範囲、請求項２４において、前記フォーマットはデジタルビデオカセットレコーダにおける、SDフォーマットとSDLフォーマット、HDフォーマット、SDMPEGフォーマット、HDPEGフォーマットを表すことを特徴とする送信装置。
【請求項２７】
特許請求の範囲、請求項２４において、前記記録媒体はカセットテープメディアであることを特徴とする送信装置。
【請求項２８】
特許請求の範囲、請求項２４において、前記記録媒体はディスクメディアであることを特徴とする送信装置。
【請求項２９】
特許請求の範囲、請求項２４において、前記記録媒体はメモリメディアであることを特徴とする送信装置。
【請求項３０】
特許請求の範囲、請求項２４において、前記送信装置の送信方式はIEEE１３９４方式を表すことを特徴とする送信装置。
【請求項３１】
特許請求の範囲、請求項２４において、前記送信装置の送信方式はUSB方式を表すことを特徴とする送信装置。
【請求項３２】
特許請求の範囲、請求項２４において、前記送信装置の送信方式は無線通信方式を表すことを特徴とする送信装置。
【請求項３３】
特許請求の範囲、請求項２４の送信装置に前記情報を提供する前記情報を再生する再生装置において、前記送信装置が前記最大帯域を確保できない場合においても、前記情報を再生することを継続することを特徴とする再生装置。
【発明の詳細な説明】
【技術分野】
【０００１】
本発明は、カセットテープに映像信号を記録し、その映像信号を再生しながら、ディジタルインターフェースで出力するものであり、特にデジタルビデオレコーダと他の映像再生機器との接続システムに利用される。
【背景技術】
【０００２】
近年、画像データの記録フォーマットには、ＤＶ（Digital video）規格のＳＤ方式（以下、ＳＤフォーマット）、ＳＤ方式よりも高い圧縮率を採用したＳＤＬ方式（以下、ＳＤＬフォーマット）、ＤＶ規格のＨＤ方式（以下、ＨＤフォーマット）、ＭＰＥＧ（Moving Picture Experts Group）規格（以下、ＭＰＥＧフォーマット）等が知られている。
【０００３】
また、近年、「IEEE Std 1394-1995・IEEE Standard for a High Performance Serial Bus」規格に準拠したディジタルインターフェース（以下、１３９４インターフェース）が知られている。１３９４インターフェースでは、アイソクロナス転送モードを利用することにより、ＳＤフォーマットの画像データ、ＳＤＬフォーマットの画像データ、ＨＤフォーマットの画像データ及びＭＰＥＧフォーマットの画像データの何れかを外部に出力することができる。
【０００４】
そこで、様々なフォーマットが記録されたデジタルビデオテープを再生したときに１３９４インターフェースに出力するためにアイソクロナス転送に必要な帯域の確保を行うことになる。
【０００５】
例えば図５に示すように、デジタルビデオカセットのテープ１にSDフォーマット、SDLフォーマットが記録されている。このテープを再生し、１３９４インターフェースを用いて、外部に送信する場合、SDLフォーマットを再生している時にＳＤＬフォーマットが必要とするアイソクロナス帯域は最低２６０バイトであるため、２６０バイトのアイソクロナス帯域を確保して送信している。次にSDフォーマットの再生を始めると、ＳＤフォーマットが必要とするアイソクロナス帯域は最低５００バイトであるので、現在の２６０バイトでは送信できないために、５００バイトのアイソクロナス帯域を確保して送信することになる。このような処理は再生フォーマットごとに帯域の確保を繰り返さなければならないという問題を抱えていた。
【０００６】
そこで、特開公2002-281451号に示されているような、再生映像に必要な最大帯域を確保し、どんなフォーマットも最大帯域を用いて送信する方式が提案されている。この提案では、例えば、図１のSDLフォーマットを再生している場合にも、このテープに記録されている最大帯域を必要とするSDフォーマットの５００バイト分の帯域をあらかじめ確保して、SDフォーマットを送信する時はもちろん、SDLフォーマットを送信する時も５００バイト分の帯域を確保したまま送信することにより、再生するフォーマットが変更されるごとに帯域を確保繰り返すわずらわしさを回避している。
【特許文献１】特開２００２−２８１４５１号公報
【発明の開示】
【発明が解決しようとする課題】
【０００７】
しかしながら上記従来例では、従来の１３９４インターフェースでは、ＳＤフォーマットの画像データ、ＳＤＬフォーマットの画像データ、ＨＤフォーマットの画像データ及びＭＰＥＧフォーマットの画像データの何れかを外部に出力する場合にも、最大のアイソクロナス帯域を確保しなければならないが、アイソクロナス帯域の最大値には制限があり、ネットワーク上の他の機器が既にいくらかのアイソクロナス帯域を確保している場合、残っているアイソクロナス帯域は確保しなければならない最大のアイソクロナス帯域よりも少ない場合があり、最大のアイソクロナス帯域を確保できないという欠点があった。
【０００８】
そこで、本出願に係わる発明の第１の目的は、様々なフォーマットの中で最も送信する確率の高い帯域を確保し、通常は画像の送信をとぎらすことなく行うことの提案である。
【０００９】
また、本出願に係わる発明の第２の目的は、全てのフォーマットの送信をとぎらすことなく行うことの提案である。
【課題を解決するための手段】
【００１０】
上記目的を達成するために本出願に係わる第１の発明は、記録媒体に記録された情報には送信する時に必要な帯域が前期情報ごとに決まっていて、前期情報を送信する際に最大帯域を確保する送信装置において、最大帯域を確保できない場合、段階的に次に大きい帯域を確保するようにしたものである。
【００１１】
本出願に係わる第２の発明は、記録媒体に記録された情報には送信する時に必要な帯域が前期情報ごとに決まっていて、前期情報を送信する際に最大帯域を確保する送信装置において、最大帯域を確保できない場合、まず段階的に次に大きい帯域を確保し、次に前期最大帯域の差分の帯域を確保するようにしたものである。
【００１２】
本出願に係わる第３の発明は、記録媒体に記録された情報には送信する時に必要な帯域が前期情報ごとに決まっていて、前期情報を送信する際に最大帯域を確保する送信装置において、最大帯域を確保できない場合、まず確保可能な帯域を確保し、確保できた場合、確保可能な次に大きい帯域の差分を確保し、さらに次に大きい帯域の差分を確保し、最大帯域を確保するまで繰り返すようにしたものである。
【発明の効果】
【００１３】
以上説明したように、本発明によれば、記録媒体に記録された情報には送信する時に必要な帯域が前期情報ごとに決まっていて、前期情報を送信する際に最大帯域を確保する送信装置において、最大帯域を確保できない場合、まず段階的に次に大きい帯域を確保し、次に前期最大帯域の差分の帯域を確保することにより、あらかじめ、再生するフォーマットの最も確率の高い帯域を確保し、通常は画像の送信をとぎらすことなく、さらに大きな帯域を必要とするフォーマットを送信する際にも、その時には画像の送信をとぎらすことなく送信ができるようになった。
【発明を実施するための最良の形態】
【００１４】
（実施例１）
図１はデジタルビデオレコーダー、及びプレーヤーに用いられるビデオカセットテープ１に記録されたDVの信号フォーマットを表した図である。このDVフォーマットとは、デジタルビデオで使用されているフォーマットで「Specifications of Consumer-Use Digital VCRs」に詳しく記載されている。図１のようにビデオカセットテープ１にはSDLフォーマットとSDフォーマットとHDフォーマットが混在して記録され、再生されることになる。この場合、IEEE1394インターフェースを用いた通信には、各フォーマットごとに必要なアイソクロナス帯域が異なるが、本実施例では最も多いアイソクロナス帯域を必要とするHDフォーマットで必要な帯域をあらかじめ確保する方式について説明する。
【００１５】
図２は図1に示すビデオカセットテープ１を再生し、IEEE1394インターフェースを通して、映像と音声データを送信するビデオテーププレーヤーを示したブロック図である。図２において、１はビデオカセットテープ、２０はビデオテーププレーヤー、２１はデジタルビデオカセット、２２はシステムコントローラ、２３は操作ボタン、２４は再生ヘッドが取り付けられた回転ドラム、２５はビデオ信号処理回路、２６はインターフェース回路、２７はIEEE１３９４端子、２８はビデオ信号出力回路である。
【００１６】
ユーザーがビデオを再生して楽しむ場合、操作ボタン２３の再生ボタンを押す。するとシステムコントローラ２２は再生ボタンが押されたことを検出し、デジタルビデオカセット２１がセットされたメカを制御してテープ１を再生する。デジタルビデオカセット２１の中のテープ１は図のように回転ドラム２４に巻きつけられて、再生ヘッドより記録された圧縮ビデオ信号が再生される。再生された圧縮ビデオ信号はビデオ信号処理回路２５で伸張され、通常のデジタルビデオ信号に変換され、インターフェース回路２６とビデオ信号出力回路２８へ送られる。本実施例のビデオ信号処理回路２５は、再生される複数の圧縮ビデオ信号の伸張が可能であり、ここではSDフォーマットとSDLフォーマットとHDフォーマットに対応している信号処理回路とする。ビデオ信号出力回路２８では送られたデジタルビデオ信号をDA変換し、アナログビデオ信号として、外部のテレビモニタなどの表示装置に出力してユーザーはビデオを楽しむ。同時にインターフェース回路２６へ送られたデジタルビデオ信号は、ここでIEEE1394のアイソクロナスパケットに変換され、IEEE1394端子２７より接続された他の機器に送信される。
【００１７】
ここで、図１のような複数のフォーマットがテープ１に記録されている場合、まず再生ボタン２３が押された時に図１の左側のSDLフォーマット部分を再生しはじめると、システムコントローラ２２は、インターフェース回路２６にこのデジタルテーププレーヤー２０が再生できるフォーマットの中で最大のアイソクロナス帯域、本実施例の場合、HDフォーマットに必要な９８０バイト分を確保することを指示する。インターフェース回路２６は、９８０バイトのアイソクロナス帯域を確保して、ビデオ信号処理回路２５からデジタルビデオ信号が送られてくると、IEEE1394端子２７からSDLフォーマットのアイソクロナスパケット２６０バイトを送信する。
【００１８】
これが通常の必要な帯域が確保できて送信する場合であるが、ここで、このHDフォーマットに必要な帯域が残っていない場合について説明する。HDフォーマットに必要なアイソクロナス帯域は９８０バイトであるが、他のノードがアイソクロナス転送に使用するために確保していて、現在の残りのアイソクロナス帯域が８００バイトであるとする。インターフェース回路２６は、システムコントーラ２２にアイソクロナス帯域が不足していることを通知する。その場合、システムコントローラ２２はSDフォーマットに必要なアイソクロナス帯域である、５００バイトを確保するようにインターフェース回路２６に指示をする。インターフェース回路２６は、残りの８0０バイトから５００バイト分を確保する。そして、ビデオ信号処理回路２５からデジタルビデオ信号が送られてくると、IEEE1394端子２７からSDLフォーマットのアイソクロナスパケット２６０バイトを送信する。
【００１９】
例えば、SDフォーマット、SDLフォーマット、HDフォーマットの再生ができるデジタルテーププレーヤー２０であるが、図５に示すようなSDフォーマット、SDLフォーマットのみが記録されているテープが再生された場合、HDフォーマットに必要なアイソクロナス帯域、９８０バイトが確保できなくても、SDフォーマットに必要なアイソクロナス帯域４８０バイトが確保されていれば、記録フォーマットごとに帯域の確保を繰り返さなくそのままでも、画像データの送信が可能である。実際、未だにビデオ信号の主流はSDフォーマットであり、テープに記録されてるフォーマットもSDフォーマットが多いため、５００バイトのデータを確保することによって、ほとんどのテープの再生、送信が可能になる。
【００２０】
本実施例１のシステムコントローラ２２の処理のフローチャートを図３に示す。
【００２１】
また、図４にIEEE1394のパケットの波形を示す。４１は125usごとに出る基準のサイクルスタートパケット、４２は２６０バイトのSDLフォーマットのアイソクロナスパケット、４３は確保した５００バイトのSDフォーマット用の帯域である。
【００２２】
本実施例１はHDフォーマットのアイソクロナス帯域が確保できない場合、SDフォーマットのアイソクロナス帯域を確保することを示したが、SDフォーマットのアイソクロナス帯域も確保できない場合に、SDLフォーマットのアイソクロナス帯域分である２６０バイト分を確保することも同様の処理で行われる。
【００２３】
（実施例２）
実施例１では、SDフォーマット分のアイソクロナス帯域を確保すれば、通常のテープ再生においては、IEEE1394送信がほとんど行えることを示したが、図１のようにHDフォーマットの記録がされているテープがある場合、SDフォーマットのアイソクロナス帯域が確保できたとしても、HDのアイソクロナス帯域を確保しないとIEEE1394送信が行えない。
【００２４】
そこで、図１において、SDLフォーマットを再生中、またはAの部分を過ぎてSDフォーマットを再生中にSDフォーマットのアイソクロナス帯域が確保できている場合、システムコントローラ２２はHDフォーマットとの差分である４８０バイトを追加で確保するためにインターフェース回路２６に現在の残りの帯域を調査するように指示をする。インターフェース回路２６は、定期的に現在の残りの帯域をシステムコントローラ２２に報告する。SDフォーマットのアイソクロナス帯域を確保した時は残りが３２０バイト分であったが、その後、他のノードがアイソクロナス帯域が必要なくなり返した場合、４８０バイトより残りの帯域が多くなる。この報告を受けたシステムコントローラ２２は、インターフェース回路２６に差分である４８０バイトのアイソクロナス帯域を確保するように指示をする。インターフェース回路２６は、差分の４８０バイトを図１のテープ１のBの部分が再生するまでに確保することにより、Bの部分からHDフォーマットの再生を行った場合には、９８０バイトのパケットを送信する。
【００２５】
本実施例２のシステムコントローラ２２の処理のフローチャートを図６に示す。
【００２６】
本実施例２はHDフォーマットのアイソクロナス帯域が確保できない場合、SDフォーマットのアイソクロナス帯域を確保し、次に差分のアイソクロナス帯域を確保することを示したが、SDフォーマットのアイソクロナス帯域も確保できない場合に、SDLフォーマットのアイソクロナス帯域分である２６０バイト分を確保し、次にSDフォーマットの差分、またはHDフォーマットの差分のアイソクロナス帯域を段階的に確保することも同様の処理で行われる。
【００２７】
また、もちろんHDフォーマットが再生するまでに、HDフォーマットに必要なアイソクロナス帯域を確保することができない場合、HDフォーマットのパケットを出力することができないが、その後、テープ１が再びSDフォーマットの部分を再生した時にSDフォーマットのパケットを出力することは可能であるため、特にテープを再生することを停止することはない。
【００２８】
（実施例３）
上記実施例で、IEEE1394インターフェース例を示したが、他のインターフェース、例えばUSBインターフェースや無線も同様である。USBの場合は必要な帯域をホストが割り当てる。実施例１におけるシステムコントローラ２２ｈ送信に必要な帯域をインターフェース回路２６に確保させるのではなく、USBインターフェースで接続されたホストに対し、その帯域情報を非同期通信で通知し、実施例１におけるシステムコントローラ２２の処理である判断、確保はホストが同様の処理をすることになる。
【図面の簡単な説明】
【００２９】
【図１】テープに記録されているフォーマット図
【図２】デジタルビデオプレーヤーのブロック図。
【図３】本実施例１のフローチャート
【図４】IEEE1394のバス上に送信されているSDLフォーマットのアイソクロナスパケットの波形
【図５】本実施例１のテープに記録されているフォーマット図
【図６】本実施例２のフローチャート
【符号の説明】
【００３０】
１  デジタルビデオカセットのテープ
２０  デジタルビデオプレーヤー
２１  デジタルビデオカセット
２２  システムコントローラ
２３  操作ボタン
２４  回転ドラム
２５  ビデオ信号処理回路
２６  インターフェース回路
２７  IEEE１３９４端子
２８  ビデオ信号出力回路
４１  CSP（サイクルスタートパケット）
４２  SDLフォーマットのアイソクロナスパケット
４３  SDフォーマット分の帯域
【図１】
2007081958.tif 000003
【図２】
2007081958.tif 000004
【図３】
2007081958.tif 000005
【図４】
2007081958.tif 000006
【図５】
2007081958.tif 000007
【図６】
2007081958.tif 000008